(57)【特許請求の範囲】
【請求項１】
開閉可能な密封タブを有する製品収納袋と、
製品収納袋を覆い、外蓋を有する外装とからなる包装容器において、
外装１側面に、罫線と、罫線をコの字状に囲む脆弱線とよりなる廃棄用包み紙収納部を設け、
前記廃棄用包み紙収納部内側に廃棄用包み紙を収納しており、
かつ、製品収納袋の形状を保持するフレームを備え、このフレームの廃棄用包み紙の収納部に対応する位置に、窓を設けたことを特徴とする包装容器。
【請求項２】
廃棄用包み紙収納部に、再剥離可能な粘着剤で廃棄用包み紙を固定したことを特徴とする請求項１に記載の包装容器。
【請求項３】
外装は、下面板、左右の側面板、正面板、背面板からなる外箱本体と、
少なくとも外箱本体の上面と正面板の上部を覆う外蓋と、からなり、
外蓋上面にヒンジによって繋がった上面のりしろを設け、上面のりしろが背面板と接着してなることを特徴とする請求項１又は２に記載の包装容器。
【請求項４】
外装に開封を阻止するロック機能を設けたことを特徴とする請求項１〜３のいずれかに記載の包装容器。
【請求項５】
密封タブは、再接着可能な粘着シートからなる蓋材であることを特徴とする請求項１〜４のいずれかに記載の包装容器。
【請求項６】
廃棄用包み紙収納部の罫線に対向した脆弱線に隣接して、押し込み部を設けたことを特徴とする請求項１〜５のいずれかに記載の包装容器。
【発明の詳細な説明】
【技術分野】
【０００１】
本発明は、主として、ガムなどを廃棄する時に紙で包んで廃棄する必要がある製品を収納する包装容器に関する。
【背景技術】
【０００２】
ガムなどを廃棄する時に紙などに包んで廃棄しないと、ガムの粘着性が災いして、ゴミ箱などの壁にガムが付着して、いつまでも貼り付いたままで、著しく不潔な状態が続いてしまう問題があった。道路などに廃棄された場合は、靴に付着して歩きにくくなったり、つまずいて転ぶなど、怪我の恐れがあると共に、噛んだガムを除去するのには多くの時間と人手が掛かる問題があった。
従来、このような問題に対し、単に予め包んでおいた包装紙で噛み終わったガムを包んで捨てるように、啓蒙活動をするのみであった。
しかしながら、ガムの表面に糖のコーティングをしたり、澱粉をまぶしたりして、個々のガム同士の粘着を防いだような製品が開発され、包装紙をなくすことが可能になった。
そこで、個々のガムを個包装するのではなく、まとめて包装する方が容易であり、価格も抑えることが出来る。
そこで、製品であるガムの包装紙とは別に、廃棄用の包装紙を添付する方法が考えられた。
【０００３】
例えば、特許文献１では、
少なくとも下面板、左右の側面板、上面板、背面板および正面板を備え、正面板によって開閉自在な正面板側開口部を通して内部に収容されたガムを取り出すようにした包装容器において、下面板に折り目を介して第１糊代、中仕切板および第２糊代が順に連設される一方、上面板の正面板側端縁近傍に略コ字状の取出口および該取出口による脱落防止フラップが形成されてなり、各糊代が左右の側面板にそれぞれ貼着されて上面板との間に一定の空間をおいて中仕切板が配設され、上面板と中仕切板との空間に包み紙が先端部を脱落防止フラップに支持されて収容され、また、収容された包み紙が上面板の取出口を通して取り出されることを特徴とする包装容器を提案している。
さらに、請求項２では、前記正面板に係止板が折り目を介して連設される一方、正面板に折り目を介して連設された一対の係止片が係止板に貼着され、また、上面板の正面板側端縁に係止片と係脱自在な被係止片が折り目を介して連設され、正面板によって正面板側開口部を閉鎖するとき、係止板が取出口を覆うとともに、係止片が被係止片と係止されて正面板の開き出しが規制されることを特徴とする請求項１記載の包装容器を提案している。
【０００４】
この包装容器の場合、中仕切板が包み紙を収納する場所と、ガムを収納する場所とを分けて設け、収納した包み紙が上面板の取り出し口を通さないと取り出し出来ない仕組みになっている。
この為、噛み終わったガムを捨てる時に、わざわざ、包装容器の上面板の取出口を開けて、包み紙を取り出す必要がある。この包み紙を取り出す時に、同時に、製品であるガムの収納する場所も開放されるので、例えば、車に揺られている状態で開けた場合、ふとした振動などで、内容物のガムなどが落下したりする恐れや、ごみなどが外部から入ってしまう恐れがあった。
【先行技術文献】
【特許文献】
【０００５】
【特許文献１】特許第４９４４６４９号公報
【発明の概要】
【発明が解決しようとする課題】
【０００６】
そこで、内容物のガムを廃棄するための包み紙を取り出すのに、ガムを収納する容器の蓋を開口しないで取り出し可能な紙容器を提供することが、本発明の課題である。
【課題を解決するための手段】
【０００７】
本発明の請求項１に係る発明は、開閉可能な密封タブを有する製品収納袋と、
製品収納袋を覆い、外蓋を有する外装とからなる包装容器において、
外装１側面に、罫線と、罫線をコの字状に囲む脆弱線とよりなる廃棄用包み紙収納部を設け、
前記廃棄用包み紙収納部内側に廃棄用包み紙を収納しており、
かつ、製品収納袋の形状を保持するフレームを備え、このフレームの廃棄用包み紙の収納部に対応する位置に、窓を設けたことを特徴とする包装容器である。
【０００８】
本発明の請求項２に係る発明は、廃棄用包み紙収納部に、再剥離可能な粘着剤で廃棄用包み紙を固定したことを特徴とする請求項１に記載の包装容器である。
【００１０】
本発明の請求項３に係る発明は、外装は、下面板、左右の側面板、正面板、背面板からなる外箱本体と、
少なくとも外箱本体の上面と正面板の上部を覆う外蓋と、からなり、
外蓋上面にヒンジによって繋がった上面のりしろを設け、上面のりしろが背面板と接着してなることを特徴とする請求項１又は２に記載の包装容器である。
【００１１】
本発明の請求項４に係る発明は、外装に開封を阻止するロック機能を設けたことを特徴とする請求項１〜３のいずれかに記載の包装容器である。
【００１２】
本発明の請求項５に係る発明は、密封タブは、再接着可能な粘着シートからなる蓋材であることを特徴とする請求項１〜４のいずれかに記載の包装容器である。
【００１３】
本発明の請求項６に係る発明は、廃棄用包み紙収納部の罫線に対向した脆弱線に隣接して、押し込み部を設けたことを特徴とする請求項１〜５のいずれかに記載の包装容器である。
【発明の効果】
【００１４】
本発明の包装容器は、密封タブによって内容物を収納する製品収納袋を閉じたり、外蓋を閉じた状態で、廃棄用包み紙を取り出すことが可能である。その為、廃棄用包み紙を取り出す時に、内容物が包装容器からこぼれ落ちてしまうなどの問題が発生しない。また、製品収納袋にフレームが付属され、形状を維持しているので、密封タブで開け閉めする時に皺が入って完全に密封できないような不具合も無く、スムースに製品収納袋を開閉可能である。
さらに、外装に開封を阻止するロック機能を設けたので、バージン性を確保できるので、消費者に安心して購入してもらえる。
さらに、外蓋がヒンジで外箱本体と繋がっているので、外蓋を紛失することも無く、内部を汚すことも無いなど、包装容器の保護性能は高い。
【図面の簡単な説明】
【００１５】
【図１】本発明の包装容器の一例で、外蓋を開けた状態と、密封タブを引き剥がして取出し口を開けた状態を示す斜視図である。
【図２】本発明の包装容器の一例で、背面板の廃棄用包み紙の収納部を開けた状態を示す斜視図である。
【図３】本発明の包装容器に使用される外装の一例を示す展開図である。
【図４】本発明の包装容器に使用される外装の一例を組み立てる途中の段階を示す図である。
【図５】本発明の包装容器に使用される外装の一例を示す斜視図で、製品収納袋を収納する状態の斜視図である。
【図６】本発明の包装容器の一例において、密封状態と、内容物を製品収納袋より取り出す状態とを示す縦断面図である。
【図７】本発明の包装容器の一例において、製品収納袋と外蓋を密封した状態で、廃棄用包み紙収納パネル開封用の押し込み部を押してスリットを引き裂いた状態と、廃棄用包み紙収納パネルを開けた状況を示す縦断面図である。
【図８】本発明の包装容器の一例において、外蓋の開封を阻止するロック部において、ロック部を破断して開封する前と後の状態を示す断面図である。
【図９】本発明の包装容器において、製品収納袋と、製品収納袋に密封タブを開口部に貼った状態の正面側から見た斜視図である。
【図１０】本発明の包装容器において、製品収納袋に密封タブを開口部に貼った状態の裏面側から見た状態と、密封タブを上げて開口した状態の斜視図である。
【図１１】本発明の包装容器に使用されるフレームの一例で、その展開図と、組み立てた状態の斜視図である。
【図１２】本発明の包装容器に使用されるフレームの第２の例で、その展開図と、組み立てた状態の斜視図である。
【発明を実施するための形態】
【００１６】
以下、本発明の包装容器の実施形態例について、図を用いて詳細に説明する。
図１は本発明の包装容器の一例で、図１−１は外装１の外蓋１１のロックを開封した状態を示す斜視図である。
外装１は、正面板１２、背面板１３、左側面板１４、右側面板１５、底面板１６を有し、ほぼ直方体の外形をした紙箱で、上面に開閉可能な外蓋１１を有し、外装１の背面板１３と外蓋１１はヒンジ部１１００で繋がっている。
ただし、外蓋１１は開封する前には、外装のロックタブ１２１と外蓋の正面フラップ１１１０とはタブロック部１７１で繋がっていたものである。
さらに、外装の左側面板１４、右側面板１５は、外蓋左右の左側面ロックフラップ１１２０、右側面ロックフラップ１１３０とフラップロック部１７２で繋がっていた。従って、これらロック部を切断することによって始めて、開封した状態になっている。
また、外装１１の内部には製品収納袋２が収納されている。
【００１７】
図１−２は、製品収納袋２を開封した状態を示している。
製品収納袋２の上部には取出口２１が開口し、その外側全周囲を開閉可能な密封タブ２２が密着して、製品の排出と劣化を防ぐようにしている。
密封タブ２２には、先端に粘着層を持たないタブ摘み部２２１を設け、タブ摘み部２２１と取出口２１とに対応する面以外の部分には開閉自在なタックを有する粘着塗布部２２２が設けられ、開封、再密封可能な密封タブ２２になっている。
この為、密封タブ２２の粘着塗布部２２２に用いられる粘着剤は再接着が可能な粘着樹脂層を有するシートからなるばかりではなく、製品収納袋２の表面にもポリエチレンなどの樹脂層を設けて、粘着層によって剥離したりして破壊されない表面にしている。
【００１８】
図２は本発明の包装容器で、廃棄用包み紙３を取り出す状態を示す斜視図である。
廃棄用包み紙３は、外装１の背面板１３内側に収納されている。
背面板１３の中央に設けた押し込みパネル１３２を押し込み、包み紙収納部１３１を引き出すと、廃棄用包み紙３が部分的に粘着剤で貼り付けられていて、廃棄用包み紙３を容易に取り出す事ができるようになっている。
このように、製品は製品収納袋２に入っており、外蓋１１を閉じた状態で、廃棄用包み紙３が取り出すことができるようになっている。
【００１９】
図３は本発明の包装容器で、外装１の一例を示す展開図である。
展開図に示すように、左から順に背面板１３、左側面板１４、正面板１２、右側面板１５、右側面のりしろ１５１が繋がり、さらに正面板１２の下端に底面板１６、底面板１６の下端に底面のりしろ１６１、左側面板１４下端に底フラップ１６２、右側面板１５下端にも底フラップ１６２が設けられている。
また、正面板１２の上端左右にはロックタブ１２１が設けられている。
ロックタブ１２１の上端には、タブロック部１７１を介して正面フラップ１１１０が設けられ、さらにその上端に外蓋正面板１１１が繋がって設けられている。
その上、外蓋正面板１１１の左右には外蓋左側面板１１２、外蓋右側面板１１３がそれぞれ設けられ、かつ、外蓋正面板１１１の上端に外蓋上面板１１０が設けられている。
さらに外蓋上面板１１０上端には、上面のりしろ１１０１が設けられ、背面板１３と接着できるようになっている。
しかも、左右の外蓋左側面板１１２、外蓋右側面板１１３の上端には外蓋左側板フラップ１１２１、外蓋右側板フラップ１１３１がそれぞれ設けられ、かつ、下端には左側面ロックフラップ１１２０、右側面ロックフラップ１１３０が設けられていると共に、それらの下端が左側面板１４、右側面板１５に繋がってフラックロック部１７２を形成している。背面板１３中央には押し込みパネル１３２が設けられている。押し込みパネル１３２は、上端が押し込み折り罫１３２０、下端は繋ぎ１３２２のある脆弱線１３２１になっていて、左右は切り込み１３２３で構成されている。その為、押し込みパネル１３２を内側に押し込むと、容易に繋ぎ１３２２が切断して、脆弱線１３２１が切れて、包み紙収納部１３１上端の内側に爪や指を差し込むことができるように設計されている。
廃棄用包み紙を収納する包み紙収納部１３１は、下端が罫線によって収納部ヒンジ１３１０が形成され、左右には収納部脆弱線１３１１が設けられている。こうして、脆弱線１３２１と左右の収納部脆弱線２３１１とで収納部ヒンジ１３１０を構成する罫線をコの字状に囲む脆弱線を構成している。
【００２０】
図４は、本発明の包装容器に使用される外装の一例を組み立てる途中の段階を示し、容器の内側から見た図である。
外装１を組み立てるには、まず、図３のＢで示した折線を谷折りし、さらにＣで示した折線で山折りする。折った図を内面から見た図が図４になる。
すなわち、左右のロックタブ１２１と正面フラップ１１１０を外蓋正面板１１１の内側に折込み、かつ、左側面ロックフラップ１１２０を外蓋左側面板１１２の内側に、右側面ロックフラップ１１３０を外蓋右側面板１１３の内側に折込む。図４はこの折込んだ状態で、通常の箱の展開図と同じ形になる。
この時、正面フラップ１１１０と外蓋正面板１１１、左側面ロックフラップ１１２０と外蓋左側面板１１２、右側面ロックフラップ１１３０と外蓋右側面板１１３をホットメルト接着剤などで接着する。この接着で、ロックを開封させ易く、かつ、開封後外蓋１１を閉鎖する時の固定を容易にするすることができる。
また、外蓋左側面板フラップ１１２１と外蓋右側面板フラップ１１３１を折込んで上面板１１０の内面に接着する。
さらに、フラップ１６２を折込んで底面板１６とホットメルト接着剤などで接着する。
【００２１】
図５は、本発明の包装容器に使用される外装の一例を組み立て、製品収納袋２を収納する直前の段階を示した斜視図である。
背面板１３の中央に設けた包み紙収納部１３１内側には、廃棄用包み紙３が剥離可能な粘着剤で複数枚固定されている。
ここで製品収納袋２を収納して、背面板１３を折込み、背面板１３に底面のりしろ１６１、右側面のりしろ１５１，上面のりしろ１１０１をそれぞれ接着して包装容器を密閉する。
【００２２】
図６は図２の斜視図Ａ面で切断した断面図で、図６−１は外装１の外蓋１１を開封する前の状態を示した。フレーム４が内接して形状が保持された製品収納袋２の内部に、製品５は収納されている。製品収納袋２と外装１との間に隙間が設けられ、隙間に廃棄用包み紙台紙３が収納されている。フレーム４は製品収納袋２内部にあるので、特にフレーム４と製品収納袋２を接着したりしなくても、形状を維持できている。
図６−２は外蓋１１のロック部を破断して外蓋１１を開封し、さらに、製品収納袋２の密封タブ２２を剥がして開けた状態を示した。
開封前は、ロックタブ１２１は、外蓋１１を折り込む時に、内部へ折り込まれ、外装本体部分と外蓋１１との間に位置し、正面フラップ１１１０とタブロック部１７１を介して繋がっている。
タブロック部１７１は、破断可能な脆弱線で構成されたもので、ヒンジ部１１００を中心にして外蓋１１を回動させると、タブロック部１７１は破断し、開封できる。
【００２３】
図７は図２の斜視図Ａ面で切断した断面図で、図７−１は背面板１３中央の押し込みパネル１３２を強く内側にむかって押した状態を示した。押し込みパネル１３２下端の包み紙収納部１３１との繋ぎ部分が破断し、押し込み折り罫１３２０を除く両端と下端が自由に動かせることができるようになり、指先や爪が容器内部に挿入可能になる。
図７−２は、押し込みパネル１３２部分から挿入した指や爪を、外装１の上側に設けられた切り込み１３２３の内側に挿入し、包み紙収納部１３１の左右に設けられた収納部脆弱線１３１１を破断させながら、包み紙収納部１３１両側面を外側に引き裂いて、開封した状態を示した。
内容物５が収納されている製品収納袋２の取出し口とは全く違う部分に廃棄用包み紙３が収納されているので、廃棄用包み紙３を取り出す時に、内容物を誤ってこぼしたり、汚したりする恐れが無い。
【００２４】
図８は、開封を阻止するロック部において、ロック部を破断して開封する前後の状態を示す図である。
ところで、タブロック部１７１とフラップロック部１７２は、外蓋１１を折り込む時に、内部へ折り込まれ、外装本体部分と外蓋１１との間に位置する。
図８−１は斜視図で、外装１の外蓋１１を開封する前の状態を示し、図８−２は外蓋１１のロック部を破断して開封した外装の斜視図を示した。
図８−１の切断面Ｄにおけるロックが利いている未開封状態の断面図が図８−３、開封直後の断面図が図８−４である。
折り込まれたタブロック部１７１がロックタブ１２１と正面フラップ１１１との間で破断して開封される。タブロック部１７１は脆弱線として、ミシン目のように破線状に部分的に切れたものであっても、半抜きで層の一部を切断した状態でも良い。加工はレーザー加工であっても、プレスする時の刃の先端形状や、刃の高さを切断部分より後退させて半抜きにするなどでも良い。
また図８−１の切断面Ｅにおけるロックが利いている未開封状態の断面図が図８−５、開封直後の断面図が図８−６である。
折り込まれたフラップロック部１７２は外蓋左側面板１１２、外蓋右側面板１１３に繋がった左側面ロックフラップ１１２０、右側面ロックフラップ１１３０と、左側面板１４、右側面板１５とがそれぞれ脆弱線で繋がった部分で、この脆弱線は上記タブロック部と同様な加工で製造できる。
そして、単に強く外蓋１１を上方に引き上げ、ヒンジ１１００を中心に回動させることで、タブロック部１７１とフラップロック部１７２それぞれ２箇所ずつのロックを破断させ、開封させる。
【００２５】
図９−１は製品収納袋２の外観を示す斜視図である。
取出口２１は６面体である製品収納袋２の一面だけに設け、他の面には延長して設けられることはしない。なぜなら、密封タブ２２が安定して再度密封可能にするため、粘着塗布部２２２が貼られる取出口２１周囲を平面にしておくことが望ましいからである。
特にシール部分は厚みが大きく変化し、面が平らに保てないので、密封しにくいので、取出口２１を設ける面には、背シール２３や左サイドシール２４や右サイドシール２５などのシール部分が来ない様に設計することが好ましい。
さらに、図９−１のように、取出口２１は製品収納袋２の一平面で、周囲に貼り代が残っているように、貼り付け面の端部から離して設けることが好ましい。
又、製品収納袋２の背シール２３位置は、出来れば下側の端に寄せる。さらに、背シール２３は、図のようにタブ摘みがある向きに設けることが望ましい。それは、廃棄用包み紙が収納される面に背シールがあると、製品収納袋のその部分が硬くなって、廃棄用包み紙の取り出し作業がしにくかったり、包装容器が膨らんでしまったりし易い為である。
図９−２のように、密封タブ２２が粘着して密封される。密封タブ２２の貼り付け方向はこの図の方向に限ることはない。図９−３のように、剥離方向を横向きにしても良い。
【００２６】
図１０−１は図９−２の反対方向から見た斜視図である。
製品収納袋における左サイドシール２４と右サイドシール２５部分は、通常の袋における天シール、地シールを左右方向になるように９０度回転させた形状であるが、必ずしもこのようなシールでなくてもかまわない。出来るだけ６面体に形状を維持出来易いシールが好ましい。
図１０−２は、密封タブ２２を開封した状態で、この図のように、粘着塗布部２２２は、取出口２１対応部分とタブ摘み部２２１から外すことが好ましい。
【００２７】
製品収納袋２の構成フィルムは、内容物に対して必要な保存性によるが、外側から
ポリエチレン／ポリエチレンテレフタレート／アルミニウム箔／ポリエチレン／ポリアミド／ポリエチレン、
ポリプロピレン／アルミニウム箔／ポリエチレン／ポリアミド／ポリエチレン、
ポリエチレンテレフタレート／アルミニウム箔／ポリエチレン、
ポリプロピレン／アルミニウム箔／ポリエチレン／紙／ポリエチレン、
などが考えられる。
アルミニウム箔は香りを逃がさない役目を担い、厚みは５〜１５マイクロメーターにする。酸化珪素蒸着のポリエチレンフィルムなどで代用しても良い。また、ポリエチレンテレフタレートフィルムの厚みは６〜２５マイクロメーターなどが使用できる。
これらのフィルムは、通常のドライラミネーション機、エクストルーダーラミネート機などで製造できる。
【００２８】
図１１は、フレーム４の一例で、図１１−１はその展開図、図１１−２は組立図である。
フレーム４は、少なくとも上部が開口した直方体状の箱型になったもので、廃棄用包み紙が配置される近傍には窓４５を設け、嵩張ってしまう廃棄用包み紙３３による膨らみを逃がす役目を持たせても良い。しかも、窓を設けると、包み紙収納部１３１を引き出す時に、指を内部に挿入し易いメリットがある。
又、フレーム４は製品収納袋２の内部に配置することが好ましい。
製品収納袋２の内部に配置した場合、製品収納袋の内寸とフレームの大きさに大きな差がない場合、製品収納袋２とフレーム４をしっかり接着固定しなくても、その役目を発揮し
易い。
もし、フレーム４を製品収納袋２の外側に設けた場合には、製品収納袋２とフレーム４をしっかり接着固定しなければならない。
このフレーム４は、フレーム底面４６はあるが、取出し面がなく、開口部は単に上下に回動可能なフラップが両端にあるのみである。
【００２９】
図１２は、フレーム４の第２の実施例で、図１２−１はその展開図、図１２−２は組立図である。
図１１のフレーム４に比べ、内容物を取り出す取出し面４７があって、開口部４７１を有し、取出し面４７は周囲のフレーム正面板４１やフレーム背面板４２と繋がっており、開口部周囲の面強度が高い設計になっている。開口部４７１周囲の面強度が高いと、密封タブ２２を貼り付け、開封する時も皺が寄り難く、確実に密封し易くなる。
【００３０】
本発明の外装１、廃棄用包み紙台紙３やフレーム４を形作る基材の紙は、収納する内容物の重量によって厚みを調整し、容量が大きいほど厚くする。通常、紙の厚みである坪量は、１２０ｇ／ｍ２から４００ｇ／ｍ２の範囲で使用可能である。また、紙の密度を０．６〜１．１ｇ／ｃｍ３の範囲にする。
また、積層シートにして、基材の紙に対し、内面や外面、又は両面に熱可塑性樹脂を用い耐水性を向上させても良く、材質は特に限定されない。
【００３１】
本発明は以上のようなもので、密封タブ２２によって内容物を収納する製品収納袋２や外蓋１１を閉じた状態で、廃棄用包み紙３３を取り出すことができる。その為、廃棄用包み紙３３を取り出す時に、内容物５が包装容器からこぼれ落ちてしまうなどの問題が発生しない。また、製品収納袋２にフレーム４が付属され、形状を維持しているので、密封タブ２２で開け閉めする時に皺が入って完全に密封できないような不具合も無く、スムースに製品収納袋２を開閉可能である。
さらに、外装１に開封を阻止するロック機能を設けたので、バージン性を確保できるので、消費者に安心して購入してもらえる。
さらに、外蓋１１がヒンジ１１００で外箱本体と繋がっているので、外蓋１１を紛失することも無く、内部を汚すことも無いなど、包装容器の保護性能は高く、本発明の包装容器のメリットは大きい。
【符号の説明】
【００３２】
１・・・・・・・・・外装
１１・・・・・・・・外蓋
１１０・・・・・・・外蓋上面板
１１００・・・・・・ヒンジ部
１１０１・・・・・・上面のりしろ
１１１・・・・・・・外蓋正面板
１１１０・・・・・・正面フラップ
１１１１・・・・・・面取り部
１１２・・・・・・・外蓋左側面板
１１２０・・・・・・左側面ロックフラップ
１１２１・・・・・・外蓋左側板フラップ
１１３・・・・・・・外蓋右側面板
１１３０・・・・・・右側面ロックフラップ
１１３１・・・・・・外蓋右側板フラップ
１１４・・・・・・・蓋背面板
１１５・・・・・・・蓋正面板（差込み板）
１１６・・・・・・・脆弱線
１２・・・・・・・・正面板
１２１・・・・・・・ロックタブ
１２２・・・・・・・フラップロック板
１２３・・・・・・・差込み部
１３・・・・・・・・背面板
１３１・・・・・・・包み紙収納部
１３１０・・・・・・収納部ヒンジ
１３１１・・・・・・収納部脆弱線
１３２・・・・・・・押し込みパネル
１３２０・・・・・・押し込み折り罫
１３２１・・・・・・脆弱線
１３２２・・・・・・繋ぎ
１３２３・・・・・・切り込み
１４・・・・・・・・左側面板
１４１・・・・・・・左側面のりしろ
１５・・・・・・・・右側面板
１５１・・・・・・・右側面のりしろ
１６・・・・・・・・底面板
１６１・・・・・・・底面のりしろ
１６２・・・・・・・底フラップ
１７１・・・・・・・タブロック部
１７２・・・・・・・フラップロック部
２・・・・・・・・・製品収納袋
２１・・・・・・・・取出口
２２・・・・・・・・密封タブ
２２１・・・・・・・タブ摘み部
２２２・・・・・・・粘着塗布部
２３・・・・・・・・背シール
２４・・・・・・・・左サイドシール
２５・・・・・・・・右サイドシール
３・・・・・・・・・廃棄用包み紙
４・・・・・・・・・フレーム
４１・・・・・・・・フレーム正面板
４２・・・・・・・・フレーム背面板
４３・・・・・・・・フレーム左側面板
４４・・・・・・・・フレーム右側面板
４５・・・・・・・・フレーム窓
４６・・・・・・・・フレーム底板
４７・・・・・・・・取出し面
４７１・・・・・・・開口部
５・・・・・・・・・製品
【図１】
0006387735.tif 000002
【図２】
0006387735.tif 000003
【図３】
0006387735.tif 000004
【図４】
0006387735.tif 000005
【図５】
0006387735.tif 000006
【図６】
0006387735.tif 000007
【図７】
0006387735.tif 000008
【図８】
0006387735.tif 000009
【図９】
0006387735.tif 000010
【図１０】
0006387735.tif 000011
【図１１】
0006387735.tif 000012
【図１２】
0006387735.tif 000013